(57)【要約】      （修正有）【課題】実装工程が容易になる電気コネクタを提供する。【解決手段】電気コネクタ１００は、相手コネクタが挿入される相手口を有するハウジング４と、絶縁性本体１と、絶縁性本体に実装される子板２と、子板に取り付けられる半田接続部３１及び回路基板に半田接続される半田接続脚３４を有する複数の導電端子３と、を備えている。前記子板２には、子板から相手口に向かって延在し、相手コネクタと電気接続する平板状の舌板２１が設けられている。【選択図】図４
0003157049.tif 000002
【実用新案登録請求の範囲】
【請求項１】
回路基板に取り付けられる電気コネクタにおいて、
相手コネクタが挿入される相手口を有するハウジングと、
絶縁性本体と、
前記絶縁性本体に実装される子板と、
前記子板に取り付けられる半田接続部及び前記回路基板に半田接続される半田接続脚を有する複数の導電端子と、を備えている電気コネクタであって、
前記子板には、前記子板から前記ハウジングの相手口に向かって延在し、前記相手コネクタと電気接続する平板状の舌板が設けられていることを特徴とする電気コネクタ。
【請求項２】
前記子板の後端部には、前記導電端子の前記半田接続部と接続する複数の導電片が設けられていることを特徴とする請求項１に記載の電気コネクタ。
【請求項３】
前記子板には一対の耳部が設けられ、前記絶縁性本体には、前記子板の後端部を収納するための収納スペースと、前記収納スペースを貫通し、前記子板の一対の耳部と係合する一対の開口と、が形成されていることを特徴とする請求項２に記載の電気コネクタ。
【請求項４】
前記子板の上表面及び下表面には、前記相手コネクタと電気接続する複数の平板状の導電部が設けられることを特徴とする請求項２に記載の電気コネクタ。
【請求項５】
前記絶縁性本体は上基部と下基部とを有し、前記子板が前記上基部と前記下基部との間に配置され、前記上基部と前記下基部には、それぞれ互いに係合する固持柱と係合孔とが設けられていることを特徴とする請求項１に記載の電気コネクタ。
【請求項６】
前記電気コネクタは位置決め部材を有し、前記導電端子には、前記半田接続部と前記半田接続脚との間に配置される固持部が設けられており、前記導電端子は、前記固持部が前記位置決め部材に固持された後、前記子板に取り付けられることを特徴とする請求項１に記載の電気コネクタ。
【請求項７】
前記導電端子は、前記固持部と前記半田接続脚との間に設けられる折曲部を有し、前記固持部と前記半田接続脚とが折曲部によって、異なる平面に配置されていることを特徴とする請求項６に記載の電気コネクタ。
【請求項８】
前記電気コネクタは前記絶縁性本体を遮蔽する前記ハウジングを有し、前記相手口は前記ハウジングによって包囲され、前記絶縁性本体及び前記位置決め部材には、それぞれ互いに係合する固定孔及び固定柱が設けられていることを特徴とする請求項６に記載の電気コネクタ。
【考案の詳細な説明】
【技術分野】
【０００１】
本考案は、電気コネクタに関し、特に、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した電気コネクタに関するものである。
【背景技術】
【０００２】
従来技術のＨＤＭＩコネクタは、絶縁性本体と、絶縁性本体に装着される導電端子と、絶縁性本体を遮蔽するハウジングと、を備えている。絶縁性本体は、主体部と、主体部から延在する平板状の舌板と、を有している。前記舌板には、上表面及び下表面から凹み、導電端子を収納するための端子溝が形成されている。
【先行技術文献】
【特許文献】
【０００３】
【特許文献１】特開２００４−１１５６６５号明細書
【考案の概要】
【考案が解決しようとする課題】
【０００４】
この装置において、端子溝が形成される絶縁性本体及び導電端子を提供した後、導電端子が絶縁性本体の端子溝に挿入される。しかし、この実装工程が複雑になる。
【０００５】
そこで本考案は、上述される従来技術の問題に鑑み、実装工程が容易になる電気コネクタを提供することを目的とする。
【課題を解決するための手段】
【０００６】
本考案の電気コネクタは回路基板に取り付けられており、前記目的を達成するために、電気コネクタは、相手コネクタが挿入される相手口を有するハウジングと、絶縁性本体と、絶縁性本体に実装される子板と、子板に取り付けられる半田接続部及び回路基板に半田接続される半田接続脚を有する複数の導電端子と、を備えている。前記子板には、子板からハウジングの相手口に向かって延在し、相手コネクタと電気接続する平板状の舌板が設けられている。
【考案の効果】
【０００７】
従来技術と比べ、本考案は以下の長所を有している。本考案の電気コネクタの舌板が子板から延在して形成されており、導電端子は子板の導電片に半田接続され得る。従って、絶縁性本体に、導電端子を位置決めするための端子溝を設置する必要がなく、電気コネクタの取り付けが簡単になる。導電片の数と本考案の導電端子３の数とが異なる場合、子板だけを交換すればよく、製造費用を節約することができる。
【図面の簡単な説明】
【０００８】
【図１】本考案の電気コネクタの組立斜視図である。
【図２】図１に示す電気コネクタの部分分解斜視図であり、導電端子と、位置決め部材と、子板と、が下基部に取り付けられる状態を示している。
【図３】図１に示す電気コネクタの別の部分分解斜視図であり、導電端子と、位置決め部材と、が子板に取り付けられる状態を示している。
【図４】図１に示す電気コネクタの分解斜視図である。
【図５】図４に示す電気コネクタを、別の角度から見た分解斜視図である。
【考案を実施するための形態】
【０００９】
図１〜図５は、電気コネクタ１００が回路基板（図示せず）に実装されている状態を示している。電気コネクタ１００は、絶縁性本体１と、絶縁性本体１に実装される子板２と、子板２に挿入される複数の導電端子３と、導電端子３を位置決めするための位置決め部材１３と、絶縁性本体１を覆うハウジング４と、を備えている。
【００１０】
絶縁性本体１は、下基部１１と上基部１２とを含んでいる。下基部１１は、上表面１１１と後表面１１３とを有している。下基部１１の後表面１１３には、後表面１１３から凹んで収納穴１１４が形成されている。下基部１１の後部には、収納穴１１４に貫通する一対の固定孔１１５が形成されている。下基部１１の上部には、上向きに延在する一対の固持柱１１２が設けられている。
【００１１】
上基部１２は、端面１２５と側面１２６と下表面１２１とを有している。上基部１２には、下表面１２１から凹んで収納スペース１２２が形成されている。上基部１２の側面１２６には、下向きに開口する開口１２３が形成されている。
【００１２】
位置決め部材１３は、上表面１３３と前表面１３１とを有している。位置決め部材１３には、上下に貫通する複数の端子溝１３４が形成されている。位置決め部材１３には、前表面１３３から突出する一対の固定柱１３２が設けられている。
【００１３】
子板２は、後端部２２と、後端部２２から前向きに延在する平板状の舌板２１と、を有している。子板２の舌板２１の上表面及び下表面には、複数の平板状の導電部２１２が設けられている。子板２の後端部２２の下表面には、複数の導電片２２２が設けられている。子板２の後端部２２には、側方に向かって突出する一対の耳部２２３が設けられている。
【００１４】
各導電端子３は、直立な固持部３２と、固持部３２の上端から突出する半田接続部３１と、固持部３２から後向きに折り曲げられる折曲部３３と、折曲部３３から下向きに延在する半田接続脚３４と、を有している。導電端子３の固持部３２と半田接続脚３４とは、折曲部３３によって異なる平面に配置されている。
【００１５】
ハウジング４は金属材料によって製造され、頂壁４１と、一対の側壁４３と、底壁４２と、頂壁４１、一対の側壁４３、及び底壁４２の間に形成される相手口４０と、を備えている。一つの側壁４３と底壁４２との間には、連接壁４４が設けられている。頂壁４１と底壁４２とには、複数の弾力片４６が設けられている。ハウジング４には、後向きに延在する一対の取付脚４５が設けられている。連接壁４４によって、誤挿入を防止することができる。
【００１６】
図１〜図５に示すように、電気コネクタ１００を取り付ける時、導電端子３の固持部３２は位置決め部材１３の端子溝１３４に固持され、導電端子３の半田接続部３１は子板２の導電片２２２に半田接続される。次いで、子板２は下基部１１の上表面１１１に配置され、上基部１２が下基部１１に実装される。従って、子板２は、上基部１２と下基部１１との間に配置される。次いで、子板２の耳部２２３が上基部１２の開口１２３に嵌合され、下基部１１の固持柱１１２が上基部１２の係合孔１２４に係合される。最後に、ハウジング４が絶縁性本体１を遮蔽する。
【００１７】
一体形成された電気コネクタ１００は、取付脚４５によって、直立するように回路基板に取り付けられ、導電端子３の半田接続脚３４が回路基板に半田接続される。次いで、相手コネクタ（図示せず）が、電気コネクタ１００に形成された相手口４０に挿入される。
【００１８】
舌板２１は子板２から延在して形成されており、導電端子３は子板２の導電片２２２に半田接続され得る。従って、絶縁性本体１に、導電端子２を位置決めするための端子溝を設置する必要がなく、電気コネクタ１００の取り付けが簡単になる。導電片２２２の数と導電端子３の数とが異なる場合、子板２だけを交換すればよく、製造費用を節約することができる。
【００１９】
以上、本考案について、好ましい実施形態を参照して詳細に説明したが、当該実施形態はあくまでも例示的なものであり、本考案はこれらに限定されるものではない。また、上述の説明、及び本考案に基づき成し得る細部の修正或いは変更などは、いずれも本考案の技術的範囲に属するものである。
【符号の説明】
【００２０】
１００  電気コネクタ
１  絶縁性本体
１１  下基部
１１１  上表面
１１２  固持柱
１１３  後表面
１１４  収納穴
１１５  固定孔
１２  上基部
１２１  下表面
１２２  収納スペース
１２３  開口
１２４  係合孔
１２５  端面
１２６  側面
１３  位置決め部材
１３１  前表面
１３２  固定柱
１３４  端子溝
２  子板
２１  舌板
２１２  導電部
２２  後端部
２２２  導電片
２２３  耳部
３  導電端子
３１  半田接続部
３２  固持部
３３  折曲部
３４  半田接続脚
４  ハウジング
４１  頂壁
４２  底壁
４３  側壁
４４  連接壁
４５  取付脚
４６  弾力片
【図１】
0003157049.tif 000003
【図２】
0003157049.tif 000004
【図３】
0003157049.tif 000005
【図４】
0003157049.tif 000006
【図５】
0003157049.tif 000007